(57)【特許請求の範囲】
【請求項１】
海中に沈下させる人工礁であって、
基台に固定された柱体と、
複数の木材の長手方向上端を固定支持する上端固定板と、複数の前記木材の長手方向下端を固定支持する下端固定板と、複数の前記木材を長手方向中央で束ねる中間結束具と、を有し、前記上端固定板と下端固定板の中央には前記柱体が貫通するための貫通孔が形成され、複数の前記木材は該貫通孔の周囲に配置されて固定支持されており、前記貫通孔に前記柱体を挿抜することで前記柱体に対して着脱可能に構成された人工礁ユニットと、
前記柱体に嵌着し、該柱体に装着した前記人工礁ユニットの上端固定板の前記貫通孔の上方を固定する固定具と、
を有することを特徴とする人工礁。
【請求項２】
前記基台の周囲は、木枠にて形成されることを特徴とする請求項１に記載の人工礁。
【請求項３】
前記柱体の上部には、前記固定具が嵌着するための嵌着溝が形成されることを特徴とする請求項１に記載の人工礁。
【請求項４】
海中に沈下させる人工礁の製造方法であって、
複数の木材の長手方向上端を上端固定板で固定し、複数の前記木材の長手方向下端を下端固定板で固定し、複数の前記木材の長手方向中央を中間結束具で束ねて固定することで人工礁ユニットを製造するユニット製造工程と、
木材により基台の外枠を形成する外枠形成工程と、
前記人工礁ユニットを設置し且つ柱体を立設するための底部保持構造体を配置するように前記外枠の内部に配筋を施す配筋工程と、
前記外枠の内部にコンクリート製の柱体を立設し且つ前記外枠にコンクリートを打設することで基台を形成する基台形成工程と、
前記下端固定板を前記底部保持構造体に固定することで前記人工礁ユニットを固定するユニット固定工程と、
を有することを特徴とする人工礁の製造方法。
【発明の詳細な説明】
【技術分野】
【０００１】
本発明は、海藻を繁茂させて魚介類を住み着かせ、魚介類を繁殖させるための人工礁、及びこの人工礁の製造方法に関する。
【背景技術】
【０００２】
従来、海洋資源として魚類を繁殖させるため、魚類の住み家となるように、コンクリート造り等の人工の重量構造物を海に沈め、人為的に海中に設置される人工礁がある（例えば、特許文献１参照）。
【０００３】
特許文献１の技術は、基台の中央部に複数の穴を並列して設け、かつ該基台の周りに所定の間隔を保って複数の穴を設け、前記基台の中央部の複数の穴に高さの大きい柱体を起立固定し、前記基台の周りの穴に高さの小さい柱体を起立固定して構成する。そして、前記基台を中心部に配置された偏平板の外周縁に前記偏平板と同平面で中心から外周に向かう方向に突設する複数の脚を構成したことを特徴とした海中林構造体である。
【０００４】
ここで、人工礁は、海流によって流されないために、基本的に重量物であるコンクリートにて構成される。しかし、昨今では、森林の成長過程で密集化する立木を間引く間伐の過程で発生する木材の間伐材を用いることが考えられるようになってきた（例えば、特許文献２〜特許文献３参照）。
【０００５】
特許文献２の技術は、複数の丸太をブロックの長尺の穴に差し込み、複数の丸太を魚類の食料供給源とする人工漁礁である。
【０００６】
特許文献３の技術は、多数の横穴を空けた鋳鉄を組み合わせ、相当数の当該横穴に木材を配置して、多くの木材を横倒しの状態で配置する人工漁礁システムである。
【先行技術文献】
【特許文献】
【０００７】
【特許文献１】特許第４６５３９８７号公報
【特許文献２】特開２００９−１５９８２８号公報
【特許文献３】特開２００２−３０６０１８号公報
【発明の概要】
【発明が解決しようとする課題】
【０００８】
しかしながら、特許文献１のように、木材を数個の長尺の穴が開いたコンクリートブロックに差し込む構成で、使い切りとする構成である。このように使い切りとすると、木材を多く用いることはできず、間伐材を有効利用するとは言い難い。
【０００９】
一方、特許文献２のように、多数の木材を鋳鉄枠に形成された多くの横穴に差し込む構成では、間伐材も横に配置されることとなり、海中への光を遮断してしまう。すると、人工礁によって魚類の繁殖のために効果的な陰影を作ることができないといった問題がある。
【００１０】
本発明の目的は、人工礁において、より多くの間伐材を有効利用し且つ魚類を繁殖しやすい構成とすることである。
【課題を解決するための手段】
【００１１】
上記目的を達成するための本発明の人工礁は、海中に沈下させる人工礁であって、基台に固定された柱体と、前記柱体が貫通するための前記上端固定板及び前記下端固定板に空けられた貫通孔を有し、前記貫通孔に前記柱体を挿抜することで前記柱体に対して着脱可能に構成された前記人工礁ユニットと、前記柱体に嵌着し、前記上端固定板の前記貫通孔の上方を固定する固定具と、を有することを特徴とする人工礁である。
【００１２】
上記人工礁に於ける人工礁ユニットは、複数の木材の長手方向上端を固定支持する上端固定板と、複数の前記木材の長手方向下端を固定支持する下端固定板と、複数の前記木材を長手方向中央で束ねる中間結束具と、を有し、前記上端固定板と下端固定板の中央には前記柱体が貫通するための貫通孔が形成され、複数の前記木材は該貫通孔の周囲に配置されて固定支持されており、前記貫通孔に前記柱体を挿抜することで前記柱体に対して着脱可能に構成されている。
【００１３】
また、本発明の他の人工礁は、前記基台の周囲は、木枠にて形成されることを特徴とする前記人工礁である。
【００１４】
また、本発明の他の人工礁は、前記柱体の上部には、前記固定具が嵌着するための嵌着溝が形成されることを特徴とする前記人工礁である。
【００１５】
また、本発明の人工礁の製造方法は、海中に沈下させる人工礁の製造方法であって、複数の木材の長手方向上端を上端固定板で固定し、複数の前記木材の長手方向下端を下端固定板で固定し、複数の前記木材の長手方向中央を中間結束具で束ねて固定することで人工礁ユニットを製造するユニット製造工程と、木材により基台の外枠を形成する外枠形成工程と、前記人工礁ユニットを設置し且つ柱体を立設するための底部保持構造体を配置するように前記外枠内部に配筋を施す配筋工程と、前記立設穴にコンクリート製の柱体を立設し且つ前記外枠にコンクリートを打設することで基台を形成する基台形成工程と、前記下端固定板を前記底部保持構造体に固定することで前記人工礁ユニットを固定するユニット固定工程と、を有することを特徴とする人工礁の製造方法である。
【発明の効果】
【００１６】
上述の構成及び製造方法によれば、人工礁の一部に木材を使用しており、且つユニットとなっているため、取り換え可能である。すると、木材として間伐材を用いることで、地上の間伐材を効率的に漁礁の一部として用いることができる。また、人工礁ユニットに用いられている木材は、上下の長さを揃えるだけで人工礁ユニットに組み込むことができる。すると、漁礁として用いるための特殊な加工を施す必要がないため、木材の加工を最低限にし、より効率的に間伐材を有効利用することができる。また、上述の人工礁ユニットは上下方向に延設されるため、海中に陰影を形成することができ、魚類を繁殖しやすい構成となる。
【図面の簡単な説明】
【００１７】
【図１】第１実施形態に係る人工礁ユニットの構成を示す斜視図。
【図２】第１実施形態に係る人工礁の構成を示す斜視図。
【図３】第１実施形態に係る人工礁の外枠形成工程を示す斜視図。
【図４】第１実施形態に係る人工礁の基台配筋工程を示す斜視図。
【図５】第１実施形態に係る人工礁の基台形成工程を示す斜視図。
【図６】第１実施形態に係る人工礁のユニット固定工程を示す斜視図。
【図７】第１実施形態に係る人工礁ユニットの上部固定部拡大斜視図。
【発明を実施するための形態】
【００１８】
〔第１実施形態〕
（人工礁ユニット１）
図を用いて、第１実施形態に係る木材を利用した人工礁ユニット１の構成を説明する。図１は人工礁ユニット１の構成を示す斜視図である。
【００１９】
図１に示すように、人工礁ユニット１は、複数の木材１０をその長手方向の上下端において、金属製の固定板に対して固定支持することで構成される。具体的には、木材１０の長手方向上端が上端固定板１１にて固定され、木材１０の長手方向下端が下端固定板１２にて固定される。また、木材１０の長手方向中央においては、木材１０が束ねられるように中間結束具１３にて固定される。また、木材１０として間伐材を使用することで、間伐材を有効利用することができる。
【００２０】
木材１０の固定は次のように行う。
【００２１】
上端固定板１１は、木材１０の上端に当接して木材１０上部を押さえるための平面部１１ａと平面部１１ａから図中下方に立ち上がる立設部１１ｂとが一体となった構成である。平面部１１ａがあることで、木材１０の長手方向の移動が規制される。また、立設部１１ｂがあることで、木材１０は外側への移動が規制される。
【００２２】
立設部１１ｂには木材１０の本数と同数のボルトＢを貫通させるための貫通孔が形成される。この構成により、ボルトＢが立設部１１ｂの貫通孔に嵌まり込んで、先端が内側に向かった状態で位置決めされる。そして、位置決めされたボルトＢが木材１０を貫通することで、木材１０は立設部１１ｂに対して固定される。
【００２３】
同様に、下端固定板１２は、木材１０の下端に当接して木材１０下部を押さえるための平面部１２ａと平面部１２ａから図中上方に立ち上がる立設部１２ｂとが一体となり、立設部１２ｂの貫通孔にて位置決めされたボルトＢが木材１０を貫通する。これにより、木材１０は下端固定板１２に固定される。
【００２４】
中間結束具１３はベルト状の金属製の部材であり、上端固定板１１と下端固定板１２との間において、複数の木材１０を結束する。中間結束具１３には、各木材１０に対応する位置にボルトＢが嵌合する貫通孔が形成される。そして、中間結束具１３の貫通孔にて位置決めされたボルトＢによって、木材１０は中間結束具１３に対して固定される。
【００２５】
このように、上端固定板１１、下端固定板１２及び中間結束具１３にて上下方向及び側方を固定することで、木材１０の人工礁ユニット１からの流出を防止することができる。
【００２６】
尚、本実施形態においては上端固定板１１の平面部１１ａ及び下端固定板１２の平面部１２ａはいずれも円形である。平面部１１ａ、１２ａを円形でとすることで、木材１０を立設部１１ｂ、１２ｂに等間隔に配置しやすくなるというメリットがある。しかしながら、平面部１１ａ、１２ａの形状を必ずしも円形に限るものではなく、人工礁の用途に応じて変更することはできる。
【００２７】
（人工礁２）
次に、人工礁ユニット１を用いた人工礁２の構成を説明する。図２は、第１実施形態に係る人工礁の構成を示す斜視図である。
【００２８】
図２に示すように、人工礁２は、海底に接地されることにより土台となる基台２０と、人工礁ユニット１を立設するため基台２０に固定された柱体２１と、を有する。基台２０及び柱体２１はコンクリートによって構成される。基台２０がコンクリートで構成されることにより、人工礁２下部の重量が確保され、海底に接地したとき人工礁２の姿勢が安定する。尚、図２に示すように、基台２０の周囲の外枠２５を木材Ｗ（間伐材）で構成することで、より間伐材を有効利用することができる。
【００２９】
また、基台２０には、人工礁２をクレーン等で吊り上げて移動させるときに、クレーンにて吊り上げられるフックやワイヤを掛けるため、上部に固定穴２２ａが形成される枠体構成吊筋２２と、中央部吊筋２３が配設される。基台２０の大きさは限定するものではないが、本実施形態の基台２０は、幅が略４ｍの正方形の形状で高さが略１ｍであるため、コンクリートを打設すると相当の重量になる。このため、基台２０側面に枠体構成吊筋２２があり、中央部には中央部吊筋２３が配設されることで、基台２０の吊り上げ及び移動が容易になる。尚、枠体構成吊筋２２及び中央部吊筋２３は左右対称に配置されることが、人工礁２の安定した移動のために好ましい。
【００３０】
一方、人工礁２に固定される人工礁ユニット１の上端固定板１１及び下端固定板１２には、柱体２１が貫通する径の貫通孔Ｈ（図１参照）が空けられる。貫通孔Ｈがあることにより、人工礁ユニット１は柱体２１に対して挿抜可能な構成となる。このように、人工礁ユニット１が柱体２１に対して着脱可能に構成される。
【００３１】
図２に示すように、人工礁ユニット１の人工礁２に対する固定は、ベルト状の固定具２４により行う。固定具２４は、人工礁ユニット１の浮上による抜け止めを防止するため、柱体２１上部周辺に嵌着する。固定具２４は、柱体２１に対して嵌着された状態で、貫通孔Ｈの外縁を押さえることで抜け止めを行う抜止部２４ａを有する又は貫通孔Ｈの径よりも大きい径となるように形成される。このため、上端固定板１１の貫通孔Ｈの上方を位置決めして固定することができる。尚、柱体２１の上部周辺には、固定具２４を嵌着するための嵌着溝２１ａが形成される。このため、固定具２４の柱体２１からの抜けを防止している。
【００３２】
一方、人工礁ユニット１の下部の人工礁２に対する固定は、後述のように、基台２０から上方に突出した固定用ボルトを人工礁ユニット１の下端固定板１２に貫通させて行う。
【００３３】
このように、複数の人工礁ユニット１を基台２０上に立設固定された人工礁２は、これを海中に沈下させることにより、海中に陰影を形成する。この陰影があることによって、魚が棲みやすい環境を作ることができ、魚類を繁殖させることができる。
【００３４】
人工礁ユニット１は、複数の木材１０を保持することができるので、間伐材を用いると、間伐材の有効利用を図ることができる。また、コンクリート製の柱体２１のみならず、材質の異なる木材１０を漁礁として用いることで、給餌効果が高まり、より多くの魚類が棲みつくことができる。
【００３５】
人工礁ユニット１をユニット化し、且つ上方に抜けるように着脱可能に構成したことにより、容易に取り換えが可能となる。
【００３６】
また、柱状の人工礁ユニット１を立設させることにより、海中の泥が積もらない。このため、堆積泥が多い場所においても、漁場や藻場を創出することができる。また、柱状の漁礁を好むコンブ科の海藻の着生に適している。
【００３７】
また、海底が軟弱地盤である場合、基台２０が隠れることがあるが、人工礁ユニット１は立設しているため、漁礁としての機能が維持される。
【００３８】
（人工礁２の製造方法）
次に、上記構成の人工礁２の製造方法を図面を用いて説明する。
【００３９】
〔ユニット製造工程〕
まず、人工礁２の基台２０とは別に、図１に示すような人工礁ユニット１を製造しておく。人工礁ユニット１は、複数の木材１０の長手方向上端を上端固定板１１の平面部１１ａに当接させ、複数の木材１０の長手方向下端を下端固定板１２の平面部１２ａに当接させる。そして、ボルトＢによって、それぞれの木材１０を上端固定板１１の立設部１１ｂ及び下端固定板１２の立設部１２ｂに固定する。
【００４０】
次に、複数の木材１０の長手方向中央を中間結束具１３で束ねて固定する。木材１０と中間結束具１３との固定はボルトＢにより行う。これにより、人工礁ユニット１が製造される。
【００４１】
〔外枠形成工程〕
次に、基台２０の外枠２５（木枠）を形成する。図３は第１実施形態に係る人工礁の外枠形成工程を示す斜視図である。
【００４２】
まず、図３（ａ）に示すように、木材Ｗの中央の位置になるように固定穴２２ａが形成された枠体構成吊筋２２に対して、縦に割った複数の木材ＷをボルトＢにて固定する。これにより、複数の木材１０が上下方向に並設され板状になる。
【００４３】
そして図３（ｂ）に示すように、板状になった複数の木材Ｗを４つ組み合わせることで、基台２０の外枠２５を形成する。
【００４４】
〔配筋工程〕
次に、基台２０の外枠内部に配筋を行う。図４は第１実施形態に係る人工礁の基台配筋工程を示す斜視図である。
【００４５】
図４（ａ）に示すように、底部に配設される防水用のルーフィング２６の上に、交差するように配筋を行う。配筋に係る鉄筋のうち一部の鉄筋は、外枠２５の下端の木材Ｗと、その木材Ｗに対向する木材Ｗとをつなぎ合わせる。これにより、コンクリートの打設時に、外枠２５の形状が保たれる。また、配筋を行うと同時に中央部吊筋２３を配置する。また、本実施形態においては４つの柱体２１の下部を固定するために、４箇所に柱体の下部保持用の鉄筋を配置する。
【００４６】
図４（ｂ）に示すように、配筋に係る鉄筋のうち一部の鉄筋は、外枠２５の上端の木材Ｗと、その木材Ｗに対向する木材Ｗとをつなぎ合わせる。そして、その上に人工礁ユニット１の底部を設置するための底部保持構造体３０を形成する。底部保持構造体３０は、アンカー板３１と、アンカー板３１から上方に突出するユニット固定用ボルト３２からなる。アンカー板３１の中央には立設穴３３が空けられている。
【００４７】
〔基台形成工程〕
次に、基台２０を形成する。図５は第１実施形態に係る人工礁の基台形成工程を示す斜視図である。
【００４８】
まず、上述のように底部保持構造体３０に形成された立設穴３３に、柱体２１を貫通させる。すると、立設穴３３に対して柱体２１が当接することにより、柱体２１の位置決めが行われる。また、外枠２５内部の下端に配設された鉄筋によって、柱体２１の下部を保持する。これによって、柱体２１が立設する。
【００４９】
その後、コンクリートＣを外枠２５の内部に流し込む。そして、コンクリートＣが固化すると、図５に示すように、重量のある基台２０が完成する。この状態において、枠体構成吊筋２２の上部、中央部吊筋２３、及びユニット固定用ボルト３２はコンクリートＣの上方に突出している。
【００５０】
〔ユニット固定工程〕
最後に、人工礁ユニット１を基台２０に固定する。図６は第１実施形態に係る人工礁のユニット固定工程を示す斜視図である。
【００５１】
図６に示すように、基台２０上に立設している柱体２１を、人工礁ユニット１の下端固定板１２に形成される貫通孔Ｈに挿入する。柱体２１は人工礁ユニット１の上端固定板１１の貫通孔Ｈをも貫通する。
【００５２】
そして、下端固定板１２は、基台２０上方に突出しているユニット固定用ボルト３２によって底部保持構造体３０に対して位置決めされる。底部保持構造体３０はコンクリートＣ内に配置されているので、人工礁ユニット１の下部は底部保持構造体３０に対して固定される。一方、上端固定板１１は、その上部が固定具２４によって固定される。
【００５３】
固定具２４の柱体２１に対する固定構成を詳細に説明する。図７は第１実施形態に係る人工礁ユニットの上部固定部拡大斜視図である。
【００５４】
図７に示すように、柱体２１上部には嵌着溝２１ａが形成される。上述のように、嵌着溝２１ａには、固定具２４が嵌まり込む。本実施形態の固定具２４は、抜止部２４ａを除き、断面が半円型の２つの部材にて構成される。
【００５５】
固定具２４には、上端固定板１１の貫通孔Ｈよりも外側に突出する抜止部２４ａとボルト固定部２４ｂとが形成される。このため、２箇所のボルトＢを締めると、固定具２４の２箇所の抜止部２４ａ及び２か所のボルト固定部２４ｂが貫通孔Ｈより外側に突出し、その４箇所が上端固定板１１に当接する。このように、抜止部２４ａ及びボルト固定部２４ｂが上端固定板１１に当接して上方から押さえるため、柱体２１から上端固定板１１が抜けることはない。
【００５６】
人工礁ユニット１を柱体２１に固定する上述の作業を柱体２１の数だけ行うことによって、人工礁２が完成する。
【００５７】
〔交換時〕
人工礁ユニット１を交換する場合には、下端固定板１２を固定するユニット固定用ボルト３２を外し、且つ上端固定板１１を固定する固定具２４を外せば、人工礁ユニット１を持ち上げ、基台２０から取り外せる状態になる。このため、古くなった人工礁ユニット１を取り外した後、新しい人工礁ユニット１を差し込めば、新しい状態の人工礁２となる。
【００５８】
この際、図７に示すように、柱体２１の上端には、当該上端を切り欠くように頭部溝２１ｂが形成される。このように頭部溝２１ｂが形成されると、部分的に柱体２１の上端の面積が小さくなるため、上端固定板１１や下端固定板１２の貫通孔Ｈに対して挿抜しやすい構成となり、交換作業がしやすくなる。
【００５９】
上述の構成及び製造方法によれば、人工礁の一部に木材を使用しており、且つユニットとなっているため、取り換え可能である。すると、木材として間伐材を用いることで、地上の間伐材を効率的に漁礁の一部として用いることができる。また、人工礁ユニットに用いられている木材は、上下の長さを揃えるだけで人工礁ユニットに組み込むことができる。すると、漁礁として用いるための特殊な加工を施す必要がないため、木材の加工を最低限にし、より効率的に間伐材を有効利用することができる。また、上述の人工礁ユニットは上下方向に延設されるため、海中に陰影を形成することができ、魚類を繁殖しやすい構成となる。
【産業上の利用可能性】
【００６０】
本発明は、海藻を繁茂させて魚介類を住み着かせ、魚介類を繁殖させるための人工礁ユニット、これを用いた人工礁、及びこの人工礁の製造方法に利用することができる。
【符号の説明】
【００６１】
Ｂ…ボルト
Ｃ…コンクリート
Ｈ…貫通孔
Ｗ…木材
１…人工礁ユニット
２…人工礁
１０…木材
１１…上端固定板
１１ａ…平面部
１１ｂ…立設部
１２…下端固定板
１２ａ…平面部
１２ｂ…立設部
１３…中間結束具
２０…基台
２１…柱体
２１ａ…嵌着溝
２１ｂ…頭部溝
２２…枠体構成吊筋
２２ａ…固定穴
２３…中央部吊筋
２４…固定具
２４ａ…抜止部
２４ｂ…ボルト固定部
２５…外枠
２６…ルーフィング
３０…底部保持構造体
３１…アンカー板
３２…ユニット固定用ボルト
３３…立設穴
【図１】
0005972541.tif 000002
【図２】
0005972541.tif 000003
【図３】
0005972541.tif 000004
【図４】
0005972541.tif 000005
【図５】
0005972541.tif 000006
【図６】
0005972541.tif 000007
【図７】
0005972541.tif 000008